(57)【要約】      （修正有）【課題】静粛かつ効率的にボタンダイの抜き出しを行うことができるボタンダイの抜き治具を提供する。【解決手段】一端に切れ刃部の開口を設けた筒状のボタンダイの、切れ刃部の開口を経てボタンダイ内に先端部が挿入される筒状の本体部１と、当該本体部の挿入端に設けられてボタンダイの内周段付部に係止される係止片３２と、本体部１の基端に設けられたノックピン抜き治具への連結用ネジ部２１とを備え、係止片３２は径方向外方へ弾性変形可能で、筒軸方向へ移動させることによって係止片３２を径方向外方へ変形させてボタンダイの内周段付部に係止可能とする操作部材を本体部１内に設ける。【選択図】図１
0003201350.tif 000002
【実用新案登録請求の範囲】
【請求項１】
一端に切れ刃部の開口を設けた筒状のボタンダイの、前記切れ刃部の開口を経てボタンダイ内に先端部が挿入される棒状の本体部と、当該本体部の挿入端に設けられて前記ボタンダイの内周段付部に係止される係止片と、前記本体部の基端に設けられたノックピン抜き治具への連結部とを備えたボタンダイの抜き治具。
【請求項２】
前記本体部を筒状に成形し、当該本体部の前記挿入端に径方向外方へ弾性変形可能に前記係止片を設け、筒軸方向へ移動させることによって前記係止片を径方向外方へ変形させて前記ボタンダイの内周段付部に係止可能とする操作部材を前記本体部内に設けた請求項１に記載のボタンダイの抜き治具。
【請求項３】
前記係止片を前記本体部の先端に径方向へ突出させて設け、前記本体部の先端を前記切れ刃部の開口を経て前記ボタンダイ内に挿入した後、前記本体部をその軸回りに回転させて前記係止片を前記ボタンダイの内周段付部に係止可能とする請求項１に記載のボタンダイの抜き治具。
【考案の詳細な説明】
【技術分野】
【０００１】
本考案はボタンダイの抜き治具に関し、特に、汎用のノックピン抜き治具を利用してボタンダイの抜き出しを可能にした抜き治具に関するものである。
【背景技術】
【０００２】
ボタンダイは高硬度の材料で構成され、プレスのダイプレートに装着されて、その筒内にパンチを受け入れることによって被加工物に精密な貫通穴を形成する（プレス抜き）ために使用される。このようなボタンダイのうちストレートタイプの一例を図６に示す。図６において、ボタンダイ７は平行な周面を有するストレートな円筒状で、その円形内周は上端部が小径の切れ刃部７１となって上端面に開口し、上端部以外の内周は段付きに拡径して抜きかすの排出通路７２となっている。ボタンダイ７は図６の鎖線で示すようにダイプレートＰの取付穴Ｐ１内に圧入して装着される。
【０００３】
なお、特許文献１には、かす上がりを防止したボタンダイの一例が示されている。
【先行技術文献】
【特許文献】
【０００４】
【特許文献１】特開平７−２４１６３４
【考案の概要】
【考案が解決しようとする課題】
【０００５】
ところで、圧入された上記ボタンダイ７を交換等するために取付穴Ｐ１内から抜き出す場合には従来、たがね等を当ててハンマーで打ち出す等の方法で抜き出しているが、騒音を生じるとともに作業性が悪いという問題があった。
【０００６】
そこで、本考案はこのような課題を解決するもので、静粛かつ効率的にボタンダイの抜き出しを行うことができるボタンダイの抜き治具を提供することを目的とする。
【課題を解決するための手段】
【０００７】
上記目的を達成するために、本第１考案では、一端に切れ刃部（７１，８１）の開口を設けた筒状のボタンダイ（７，８）の、前記切れ刃部の開口を経てボタンダイ内に先端部が挿入される棒状の本体部（１，６）と、当該本体部の挿入端に設けられて前記ボタンダイの内周段付部（７１１，８３）に係止される係止片（３２，６３）と、前記本体部の基端に設けられたノックピン抜き治具への連結部（２１，６１）とを備える。
【０００８】
本第１考案において、本体部をボタンダイの筒内へ挿入して、挿入端の係止片をボタンダイの内周段付部に係止する。そして本体部の基端に連結部によって連結されたノックピン抜き治具を公知の方法で操作することによって、係止部からボタンダイの内周段付部へ上方へに抜き力が加わり、ボタンダイがダイプレートの取付穴内から抜き出される。これにより、従来のような騒音を生じることなくかつ効率的にボタンダイを抜き出すことができる。
【０００９】
本第２考案では、前記本体部（１）を筒状に成形し、当該本体部の前記挿入端に径方向外方へ弾性変形可能に前記係止片（３２）を設け、筒軸方向へ移動させることによって前記係止片を径方向外方へ変形させて前記ボタンダイ（７）の内周段付部（７１１）に係止可能とする操作部材（４）を前記本体部内に設ける。
【００１０】
本第２考案は切れ刃部の開口の内径が周方向で等しい円形ないしこれに近い形状のボタンダイに好適に使用できる。
【００１１】
本第３考案では、前記係止片（６３）を前記本体部（６）の先端に径方向へ突出させて設け、前記本体部の先端を前記切れ刃部（８１）の開口を経て前記ボタンダイ（８）内に挿入した後、前記本体部をその軸回りに回転させて前記係止片を前記ボタンダイの内周段付部（８３）に係止可能とする。
【００１２】
本第３考案は切れ刃部の開口の内径が周方向で異なる長円形ないしこれに近い形状のボタンダイに好適に使用できる。
【００１３】
上記カッコ内の符号は、後述する実施形態に記載の具体的手段との対応関係を参考的に示すものである。
【考案の効果】
【００１４】
以上のように、本考案のボタンダイの抜き治具によれば、静粛かつ効率的にボタンダイの抜き出しを行うことができる。
【図面の簡単な説明】
【００１５】
【図１】本考案の第１実施形態における、ボタンダイの抜き治具の、本体部の側面図、上方から見た端面図および下方から見た端面図である。
【図２】操作部材の側面図である。
【図３】ナット部材の側面図および平面図である。
【図４】連結部材の側面図および端面図である。
【図５】本考案の第２実施形態における、ボタンダイの抜き治具の、本体部の側面図および下方から見た端面図である。
【図６】ボタンダイの一例を示す端面図および側面図である。
【図７】ボタンダイの他の例を示す端面図である。
【図８】ノックピン抜き治具の一例を示す側面図である。
【考案を実施するための形態】
【００１６】
なお、以下に説明する実施形態はあくまで一例であり、本考案の要旨を逸脱しない範囲で当業者が行う種々の設計的改良も本考案の範囲に含まれる。
【００１７】
（第１実施形態）
図１（１）にはボタンダイ抜き治具の本体部１の側面図を示し、図１（２）には本体部１を基端（上方）側から見た端面図を、図１（３）には先端（下方）側から見た端面図を示す。抜き治具の本体部１は全体が金属材により先端部１２を除いてストレートな内周１１を有する細長い円筒形に成形されている。なお、本体部１の内周先端部１２は漸次拡径するラッパ状となっている。
【００１８】
本体部１の上半には外周全周に連結部としてのネジ部２１が形成されている。ネジ部２１は長手方向の一箇所が両側から平行に切除されて回転操作部２２となっており（図２参照）、ここにスパナ等を係合させて本体部１をその筒軸回りに回転させることができる。
【００１９】
本体部１の下半は先端に向けて漸次大径となっており、先端部１３はさらに段付きに大径となっている。この段付部１３１は、後述するようにボタンダイの段付部（図６参照）に係止される係止部となっている。
【００２０】
本体部１の下半には周方向の４箇所に、先端から上半へ細長く延びる一定幅の切込み３１が形成されており、この切込み３１によって本体部１の下半は周方向へ４つの係止片３２に切り離されている。これにより各係止片３２は、図１（１）の鎖線で示すように、切込みの終端である基端部を支点に筒内外方向へ弾性的に湾曲変形可能であり、この湾曲変形に応じて、本体部１の先端（下端）開口を構成する各係止片３２の先端は筒内外へ変位可能である。なお、理解を容易にするために、図１（１）における係止片３２の変形量は実際よりも大きく描いてある。
【００２１】
本体部１の筒内には、図２に示す拡径用の棒状操作部材４が挿入される。操作部材４は金属製の丸棒体で、その基端部（上端部）４１には全周にネジ部４１１が形成され、先端部４２（下端部）は先端方向へ拡径する円錘台形に成形されている。このような操作部材４は、その基端部４１が本体部１の下方からその筒内へ挿入されて上方へ引き出される。この時、操作部材４の円錐台形に成形された先端部４２の斜面４２１が、本体部１の内周先端部１２のラッパ状に拡径する斜面１２１に当接する。
【００２２】
本体部１の筒内に挿入されて上方へ引き出された操作部材４の基端部４１の外周ネジ部４１１には、図３に示すような六角筒状のナット部材４３がその内周ネジ部４３１で結合される。このナット部材４３を捩込み方向へ回転させると、これに応じて操作部材４は次第に上方へ引き上げられる。そして操作部材４の先端斜面４２１に当接する斜面１２１を介して各係止片３２の先端部が上外方へ押し拡げられる（図１の鎖線で示す状態）。
【００２３】
図４には上記本体部１と後述する市販のノックピン抜き治具９（図８）の間に介設される連結部材５を示す。連結部材５は内周にネジ部５１を形成した六角筒状体で、その一端に本体部１の基端外周のネジ部２１が捩じ込み連結される。そして、連結部材５の他端にはノックピン抜き治具の先端ボルト（図８）が捩じ込み連結される。なお、上記本体部１や連結部材４と、ノックピン抜き治具の作図倍率は異なっている。
【００２４】
上述したようなボタンダイ抜き治具でダイプレートＰに圧入された図６に示したようなボタンダイを抜き出す場合には、操作部材４に六角ボルト４３を緩く結合して本体部１の各係止片３２が原形に縮径復帰している状態とし、この状態で本体部１の先端をボタンダイ７の切れ刃部７１からその内周内へ挿入する。
【００２５】
この後、ナット部材４３を締めて操作部材４を引き上げると、互いに当接する斜面４２１，１２１を介して本体部１の各係止片３２が湾曲変形させられて、その先端部が上外方へ押し拡げられる。これにより、各係止片３２の先端を連ねた本体部１の実質的外径は切れ刃部７１の内径よりも大きくなる。
【００２６】
この後、本体部１の基端ネジ部２１を、ネジ部５１を形成した連結部材５の一端内周内に捩じ込み連結し、さらに連結部材５の他端内周内にノックピン抜き治具９（図８）の先端ボルト９１を捩じ込み連結する。この状態で、押し拡げられた各係止片３２の先端部をボタンダイ７の内周段付部７１１（図６（２）参照）に当接させ、ノックピン抜き治具９のハンマー部材９２を公知の方法で図８の鎖線で示すように原位置から上方へ引き上げる操作を繰り返す。これにより、上記内周段付部７１１に上方への抜き力が間欠的に加わって、ボタンダイ７が取付穴Ｐ１内から次第に上方へ引き出される。このようにして、静粛かつ効率的にボタンダイ７を抜き出すことができる。
【００２７】
（第２実施形態）
図５には本考案のボタンダイ抜き治具の他の例を示す。図５（１）は抜き治具の本体部６の全体側面図、図５（２）は本体部６を先端（下端）方向から見た端面図である。本実施形態では、本体部６は中実の丸棒体であり、基端（上端）部には第１実施形態と同様に外周全周に連結部材５（図４参照）を連結するためのネジ部６１が形成されている。ネジ部には第１実施形態と同様の回転操作部６２が形成されている。本体部６の下半は小径となって下方へ延び、その先端部（下端部）には本体部１の下半と同幅で横長の係止片６３が形成されている。
【００２８】
このような抜き治具を使用する対象となるボタンダイ８の端面図を図７に示す。ボタンダイ８の切れ刃部８１は、両端が円弧状で平行な両側縁を有する横長の長穴形状になっている。ここで、本体部６の上記係止片６３は、その長さを切れ刃部８１の長径よりも短く、かつ短径よりは長くしてある。なお、ボタンダイ８の外周は周方向の一箇所が面取りされて周り止め８２となっている。他のボタンダイの構造は第１実施形態と同様である。
【００２９】
このようなボタンダイ抜き治具でボタンダイ８をダイプレートから抜き出す場合には、本体部６の係止片６３の向きを切れ刃部８１の横長形状に合致させて、本体部６の先端を、上方から切れ刃部８１を経てボタンダイ８内に挿入する。その後、本体部６を９０度回転させて係止片６３の向きを切れ刃部８１と直交させる（図７の鎖線）。これにより、係止片６３の両端６３１が、切れ刃部８１の周縁の、ボタンダイ８の内周段付部たる上端面内壁８３に当接可能となる。
【００３０】
この後、第１実施形態と同様に、本体部６の基端ネジ部６１を、ネジ部５１を形成した連結部材５の一端内周内に捩じ込み連結し、さらに連結部材５の他端内周内にノックピン抜き治具９の先端ボルト９１を捩じ込み連結する。この状態で、本体部６の係止片６３の両端６３１を、ボタンダイ８の上端面内壁８３に当接させ、ノックピン抜き治具９のハンマー部材９２を公知の方法で図８の鎖線で示すように原位置から上方へ引き上げる操作を繰り返す。これにより、上記上端面内壁８３に上方への抜き力が間欠的に加わって、ボタンダイ８が取付穴内から次第に上方へ引き出される。このようにして、静粛かつ効率的にボタンダイを抜き出すことができる。
【００３１】
なお、本体部１，６の上端内周面にネジ部を形成してこれにノックピン抜き治具９の先端ボルト９１を直接捩じ込み連結するようにすれば、連結部材５は必ずしも必要ではない。
【符号の説明】
【００３２】
１…本体部、２１…ネジ部（連結部）、３２…係止片、４…操作部材、５…連結部材、６…本体部、６１…ネジ部（連結部）、６３…係止片、７…ボタンダイ、７１…切れ刃部、７１１…内周段付部、８…ボタンダイ、８１…切れ刃部、８３…上端面内壁（内周段付部）。
【図１】
0003201350.tif 000003
【図２】
0003201350.tif 000004
【図３】
0003201350.tif 000005
【図４】
0003201350.tif 000006
【図５】
0003201350.tif 000007
【図６】
0003201350.tif 000008
【図７】
0003201350.tif 000009
【図８】
0003201350.tif 000010